(57)【要約】【課題】本発明は、システム管理者によって機能の選択設定を可能とした遠隔制御監視システム用のウェブサーバを提供することを目的とする。【解決手段】ウェブサーバ２１は、下位ネットワークＮ１〜ＮｎにおけるＬＩＵ２３の親機となるＮＣＵ２２と、通信線Ｌｕによって接続されるとともに、下位ネットワークＮ１〜Ｎｎにおける使用電力量を計量する計量端末装置１６と、専用線Ｌｔによって接続される。そして、ウェブサーバ２１は、システム管理者に対して、遠隔制御監視システムの各機能設定を行うための情報へのアクセスを許可する。よって、システム管理者が端末装置２４又はウェブサーバ２１を操作することで、ウェブサーバ２１に対して、負荷機器１４、移報端末装置１５、及び計量端末装置１６について、その使用する機能などの設定を行う。【選択図】図１
2010199916.tif 000002
【特許請求の範囲】
【請求項１】
時分割多重伝送方式による通信を行うことで設備機器の制御及び監視を行う下位ネットワーク間の通信を管理するネットワーク制御装置と通信を行う遠隔制御監視用通信インターフェースと、
前記設備機器それぞれにおける使用電力を計量する計量端末装置と通信を行う計量用通信インターフェースと、
ローカルエリアネットワークと接続されるローカルエリアネットワーク用通信インターフェースと、
前記遠隔制御監視用通信インターフェースで受信した前記設備機器の状態を示す遠隔制御監視情報と、前記計量用通信インターフェースで受信した前記計量端末装置で計量した使用電力を示す電力計量情報と、前記設備機器及び前記計量端末装置それぞれの種類毎に設定された機能を示す設定機能情報と、前記遠隔制御監視情報、前記電力計量情報、及び前記設定機能情報のそれぞれに対してアクセス権限が設定されるアクセス権限設定情報と、を記憶するメモリ部と、
ウェブブラウザを備えた端末装置によってアクセスされたときに、前記ローカルエリアネットワーク用通信インターフェースで受信した該端末装置からの認証用情報による認証を行い、前記端末装置の利用者のアクセス権限を判定する認証部と、
該認証部で判定されたアクセス権限と前記アクセス権限設定情報とを比較し、前記メモリ部に記憶した各情報に対して、前記端末装置よりアクセス可能な情報を決定する制御部と、
を備え、
前記認証部が、前記端末装置の利用者が前記遠隔制御監視システムのシステム管理者であることを認証したとき、前記制御部が、前記遠隔制御監視情報、前記電力計量情報、及び前記設定機能情報それぞれへのアクセスと、前記設定機能情報の内容の変更とを許可することを特徴とする遠隔制御監視システム用のウェブサーバ。
【請求項２】
請求項１において、
前記計量端末装置による機能全てを非選択とする前記設定機能情報が前記メモリ部に記憶されるとき、
前記計量用通信インターフェースによる通信動作を常時停止することを特徴とする遠隔制御監視システム用のウェブサーバ。
【請求項３】
請求項１又は請求項２において、
前記設備機器による機能全てを非選択とする前記設定機能情報が前記メモリ部に記憶されるとき、
前記遠隔制御監視用通信インターフェースによる通信動作を常時停止することを特徴とする遠隔制御監視システム用のウェブサーバ。
【請求項４】
請求項１乃至請求項３のいずれか一項において、
前記認証部が、前記端末装置の利用者が前記遠隔制御監視システムのシステム管理者であることを認証したとき、前記制御部が、前記アクセス権限設定情報へのアクセス、及び前記アクセス権限設定情報の内容の変更をも更に許可することを特徴とする遠隔制御監視システム用のウェブサーバ。
【発明の詳細な説明】
【技術分野】
【０００１】
本発明は、階層化されたネットワークで構成された遠隔制御監視システム用のウェブサーバに関するもので、特に、遠隔制御監視システムにおける下位ネットワークで使用される電力量を計量する計量端末装置とも接続可能なウェブサーバに関する。
【背景技術】
【０００２】
従来より、照明装置又は空調装置などといった負荷機器の制御や、警報器からの警報や電気錠の開閉状態といった接点状態の管理を行う制御監視システムにおいて、通信方式の異なる複数のネットワークで階層化した遠隔制御監視システムが提供されている。このような遠隔制御監視システムの１つとして、負荷機器、警報器、電気錠などの設備機器を分散制御装置で監視、制御し、この分散制御装置をビルディングサーバで統括管理する、ネットワーク分散型ビル管理システムが提案されている（特許文献１参照）。特許文献１に示すネットワーク分散型ビル管理システムは、分散型制御装置により設備機器を監視、制御する構成とした下位ネットワークを、ビルディングサーバによって、その上位となるネットワークで統合管理できる構成としている。そして、ウェブブラウザを搭載した通信端末器によって、ビルディングサーバにアクセスして、各設備機器の状態が管理可能な構成となっている。
【０００３】
又、遠隔制御監視システムとして、時分割多重伝送方式による通信方式を採用した下位ネットワークによって負荷機器を制御するとともに、ローカルバスネットワークで構築された上位ネットワークによって、接続した下位ネットワークを管理又は制御するものが提供されている（特許文献２参照）。即ち、中央制御装置（ＣＰＵ）によって伝送管理される時分割多重伝送方式による下位ネットワークそれぞれに対して、時分割多重伝送方式によるインターフェース機能と、ローカルバスネットワークのインターフェース機能とを具備したローカル制御装置（ＬＩＵ）が設置される。この下位ネットワークそれぞれに設置されたＬＩＵとの通信を管理するために、ネットワーク制御装置（ＮＣＵ）が設置される。そして、ＮＣＵは、更に上位のネットワーク階層と接続可能なインターフェース機能を備えることで、ウェブブラウザを搭載したパーソナルコンピュータなどの操作表示端末とローカルエリアネットワーク（ＬＡＮ）を構築するウェブサーバと接続される。
【０００４】
更に、分岐ブレーカから供給される電力量を計測して分岐ブレーカ毎の電力量情報を生成するエネルギーマネージメントユニットと、統合管理盤と通信を行って分岐ブレーカ毎の電力量情報を取得する端末装置とによって構成される電力監視システムが提案されている（特許文献３参照）。このような電力監視システムは、端末装置とエネルギーマネージメントユニットとが、ローカルエリアネットワークによって接続されて構成され、エネルギーマネージメントユニットにおける制御部が、電力量情報を端末装置に提供するウェブサーバとして機能している。
【０００５】
このように、負荷機器などの設備機器を遠隔制御又は遠隔監視するための遠隔制御監視システム、及び、設備機器による使用電力量を計量する電力監視システムの双方において、そのシステムを構成するネットワークを階層化したものが提供されている。これら遠隔制御監視システム及び電力監視システムのそれぞれにおいて、ローカルエリアネットワークやインターネットを通じて、クライアントとなる端末装置からアクセス可能なウェブサーバが設けられた構成となっている。そして、端末装置はウェブブラウザを備えることで、端末装置においてウェブブラウザを利用した操作を行って、遠隔制御又は遠隔監視が可能な構成となっている。
【０００６】
しかしながら、特許文献３における電力監視システムにあるように、設備機器を制御するためのウェブサーバとして構成される電気機器コントローラは、電力監視システムのウェブサーバとなるエネルギーマネージメントユニットと別体で構成される。即ち、従来は、遠隔制御監視システムにおけるウェブサーバと、電力監視システムにおけるウェブサーバとは別体とされるため、それぞれのウェブサーバを連動させるものとしても、この２つのウェブサーバ間で無駄に通信を行う必要がある。又、ネットワーク上での通信の緩衝を防ぐために、２つのウェブサーバの通信を管理する必要もある。
【０００７】
それに対して、電力を計量する計量端末器を、下位ネットワークと通信を行うインターフェース装置と接続することで、１つのインターフェース装置で、設備機器の遠隔制御及び監視だけでなく、その電力の監視をも行うことができる遠隔制御監視システムが提案されている（特許文献４参照）。この特許文献４では、電力監視システムが組み込まれた遠隔制御監視システムの一例として、親機（ＮＣＵに相当する）と下位ネットワーク毎に設置された子機（ＬＩＵに相当する）によって構成されるインターフェース装置において、親機に計量端末器が接続された、遠隔制御監視システムを挙げている。
【先行技術文献】
【特許文献】
【０００８】
【特許文献１】特開２００３−１３４１２０号公報
【特許文献２】特開２００５−２１７５５０号公報
【特許文献３】特開２００８−０８９４３３号公報
【特許文献４】特開２００７−１７４８３７号公報
【発明の概要】
【発明が解決しようとする課題】
【０００９】
特許文献４の遠隔制御監視システムを使用する使用者は、この計量端末器による電力監視システムの遠隔制御監視システムへの組み込みについて、その要、不要を選択できる。逆に、使用者によっては、計量端末器による電力監視システムだけを選択する場合もある。しかしながら、従来の遠隔制御監視システムでは、使用者であるシステム管理者が、ローカルエリアネットワーク又はインターネットを介してウェブサーバにアクセスして、そのシステムの実際の使用状態に応じた設定ができなかった。
【００１０】
このため、システムの運用によっては、実際には使用しない機能に対する通信をシステム管理者の権限で停止できずに、ウェブサーバ上で無駄な機能が設定されたままの状態となる場合があった。又、ウェブサーバより端末装置のウェブブラウザに提供されるユーザーインターフェースにおいては、使用しない機能に関する情報についても表示されてしまうため、システムの使用者にとっては使い勝手が悪いという問題もある。
【００１１】
このような問題を鑑みて、本発明は、システム管理者によって機能の選択設定を可能とした遠隔制御監視システム用のウェブサーバを提供することを目的とする。
【課題を解決するための手段】
【００１２】
上記目的を達成するために、本発明の遠隔制御監視システム用のウェブサーバは、時分割多重伝送方式による通信を行うことで設備機器の制御及び監視を行う下位ネットワーク間の通信を管理するネットワーク制御装置と通信を行う遠隔制御監視用通信インターフェースと、前記設備機器それぞれにおける使用電力を計量する計量端末装置と通信を行う計量用通信インターフェースと、ローカルエリアネットワークと接続されるローカルエリアネットワーク用通信インターフェースと、前記遠隔制御監視用通信インターフェースで受信した前記設備機器の状態を示す遠隔制御監視情報と、前記計量用通信インターフェースで受信した前記計量端末装置で計量した使用電力を示す電力計量情報と、前記設備機器及び前記計量端末装置それぞれの種類毎に設定された機能を示す設定機能情報と、前記遠隔制御監視情報、前記電力計量情報、及び前記設定機能情報のそれぞれに対してアクセス権限が設定されるアクセス権限設定情報と、を記憶するメモリ部と、ウェブブラウザを備えた端末装置によってアクセスされたときに、前記ローカルエリアネットワーク用通信インターフェースで受信した該端末装置からの認証用情報による認証を行い、前記端末装置の利用者のアクセス権限を判定する認証部と、該認証部で判定されたアクセス権限と前記アクセス権限設定情報とを比較し、前記メモリ部に記憶した各情報に対して、前記端末装置よりアクセス可能な情報を決定する制御部と、を備え、前記認証部が、前記端末装置の利用者が前記遠隔制御監視システムのシステム管理者であることを認証したとき、前記制御部が、前記遠隔制御監視情報、前記電力計量情報、及び前記設定機能情報それぞれへのアクセスと、前記設定機能情報の内容の変更とを許可することを特徴とする。
【００１３】
このようなウェブサーバにおいて、前記計量端末装置による機能全てを非選択とする前記設定機能情報が前記メモリ部に記憶されるとき、前記計量用通信インターフェースによる通信動作を常時停止するものとしてもよい。又、前記設備機器による機能全てを非選択とする前記設定機能情報が前記メモリ部に記憶されるとき、前記遠隔制御監視用通信インターフェースによる通信動作を常時停止するものとしてもよい。
【００１４】
更に、上述のいずれかのウェブサーバにおいて、前記認証部が、前記端末装置の利用者が前記遠隔制御監視システムのシステム管理者であることを認証したとき、前記制御部が、前記アクセス権限設定情報へのアクセス、及び前記アクセス権限設定情報の内容の変更をも更に許可するものとしてもよい。
【発明の効果】
【００１５】
本発明によると、遠隔制御監視システムのシステム管理者に対して、設定機能情報のアクセスと、その内容の変更とを許可することで、システム管理者は、遠隔制御監視システムで利用される必要な機能のみを選択できる。よって、遠隔制御監視システムの構成を変更した場合であっても、システム管理者の権限で設定機能情報の変更を行えるため、遠隔制御監視システムの設置後における機能変更を容易に行える。
【図面の簡単な説明】
【００１６】
【図１】は、本発明の実施形態となる遠隔制御監視システムの構成を示すブロック図である。
【図２】は、図１の遠隔制御監視システムにおけるウェブサーバの内部構成を示すブロック図である。
【図３】は、認証動作を行う際の表示画面の構成を示す図である。
【図４】は、システム利用者全てが閲覧可能なメイン画面の構成を示す図である。
【図５】は、システム管理者が閲覧可能な設定画面の構成を示す図である。
【図６】は、図５の設定画面を設定するためのシステム設定画面の構成を示す図である。
【発明を実施するための形態】
【００１７】
本発明の実施形態について、図面を参照して以下に説明する。図１は、本実施形態における遠隔制御監視システムの構成を示すブロック図である。
【００１８】
１．遠隔制御監視システムの構成
図１に示す遠隔制御監視システムにおいて、下位ネットワークＮ１〜Ｎｎ（ｎは、自然数）が、信号線Ｌｓに時分割多重信号を周期的に出力する中央制御装置（ＣＰＵ）１０と、壁スイッチなどによる操作スイッチ１２の操作監視を行う複数の監視端末装置１１と、照明装置や空調装置などの負荷機器１４を制御する制御端末装置１３と、カードリーダや警報器や電気錠などの移報端末装置１５と、によって構成される。尚、負荷機器１４及び移報端末装置１５が、設備機器に相当する。
【００１９】
そして、下位ネットワークＮ１〜Ｎｎそれぞれには、信号線Ｌｓと接続されてＣＰＵ１０からの時分割多重信号を受信するローカル制御装置（ＬＩＵ）２３が設置される。このＬＩＵ２３は、下位ネットワークＮ１〜Ｎｎそれぞれにおいて、ＣＰＵ１０の端末装置として扱われるとともに、専用線Ｌｔとも接続してネットワーク制御装置（ＮＣＵ）２２と通信可能な構成とされる。又、ＮＣＵ２２は、上述のＬＩＵ２３と接続された上に、上位ネットワークにおけるウェブサーバ２１と通信線Ｌｕで接続される。
【００２０】
更に、ウェブサーバ２１は、ローカルエリアネットワークＬＮと接続し、ローカルエリアネットワークＬＮ上の端末装置と通信可能な構成となっている。そして、ローカルエリアネットワークＬＮには、パーソナルコンピュータなどによる端末装置２４が接続され、この端末装置２４は、ローカルエリアネットワークＬＮを通じて、ウェブサーバ２１と通信できる。尚、ローカルエリアネットワークＬＮは、インターネット回線網とも接続されるものとして、ウェブサーバ２１が、インターネット回線網を通じて、遠隔制御監視システム外部からアクセスできるものとしてもよい。
【００２１】
又、この遠隔制御監視システムにおいて、下位ネットワークＮ１〜Ｎｎそれぞれには、負荷機器１４及び移報端末装置１５などにおける使用電力を計量する計量端末装置１６が設置され、この計量端末装置１６が専用線Ｌｔを介してウェブサーバ２１と接続される。この計量端末装置１６は、負荷機器１４及び移報端末装置１５それぞれへ供給される電流量を検出する電流検出センサ（不図示）に接続されて、負荷機器１４及び移報端末装置１５それぞれにおける使用電力を計量する。又、計量端末装置１６は、商用電源ＡＣと接続される主幹ブレーカ（不図示）から供給される電流量を検出する電流検出センサ（不図示）や、主幹ブレーカ（不図示）の出力側の電路に接続される分岐ブレーカ（不図示）の電流量を検出する電流検出センサ（不図示）とも接続され、下位ネットワークＮ１〜Ｎｎ全てによる使用電力や、下位ネットワークＮ１〜Ｎｎ毎の使用電力を検出するものとしてもよい。
【００２２】
２．下位ネットワーク
このように構成される遠隔制御監視システムにおいて、下位ネットワークＮ１〜Ｎｎはそれぞれ、２線式の信号線Ｌｓを用いた双極性（±２４Ｖ）の時分割多重信号による時分割多重伝送方式を採用している。この時分割多重伝送方式による下位ネットワークＮ１〜Ｎｎでは、上述したように、商用電源ＡＣから給電されているＣＰＵ１０より時分割多重信号が周期的に送信される。この時分割多重信号は、同期パルス、信号のモードを示すモードデータ、送信相手となる（アクセスする）端末装置（監視端末装置１１、制御端末装置１３、及びＬＩＵ２３に相当する）のアドレス（８ビット）を示すアドレスデータ、制御内容を示す制御データ、伝送誤りを検出するためのチェックサムデータ、及び、端末装置からの返信信号を返信させるためのタイムスロットである信号返送期間によって構成され、各データは、パルス幅変調によって形成される。
【００２３】
監視端末装置１１、制御端末装置１３、移報端末装置１５、及びＬＩＵ２３はそれぞれ、信号線Ｌｓを介して受信した時分割多重信号のアドレスデータが、それぞれに設定されているアドレスに一致すると、その時分割多重信号の制御データの内容を解析する。又、監視端末装置１１、制御端末装置１３、移報端末装置１５、及びＬＩＵ２３はそれぞれ、設定されているアドレスに一致したアドレスデータを含む時分割多重信号に対して、その信号返送期間に同期して監視データを電流モードの信号（信号線Ｌｓを適当な低インピーダンスを介して短絡することで送出される信号）として返送する。
【００２４】
尚、以下では説明を簡単にするため、各監視端末装置１１はそれぞれ、操作スイッチ１２が１つのみ設けられた構成とするとともに、各制御端末装置１３はそれぞれ、負荷機器１４が１つのみを制御する構成とする。又、監視端末器１１及び制御端末器１３それぞれのアドレスは、操作スイッチ１２及び負荷機器１４それぞれに一対に対応している必要はなく、１台の監視端末装置１１で複数の操作スイッチ１２を扱い、１台の制御端末装置１３で複数の負荷機器１４を扱うものとしてもよい。このとき、監視端末装置１１及び制御端末装置それぞれにおいて、その操作スイッチ１２及び負荷機器１４のそれぞれを個別に認識するために、アドレスが階層化される。即ち、監視端末装置１１及び制御端末装置１３に設定される端末用のアドレスの下位に、各操作スイッチ１２及び各負荷機器１４のそれぞれを個別に識別するための負荷番号が設定され、端末用のアドレスと負荷番号との組合せを上述のアドレスとして用いる。
【００２５】
ＣＰＵ１０は、アドレスデータによるアドレスをサイクリックに変化させた時分割多重信号を送信することで、監視端末装置１１、制御端末装置１２、移報端末装置１５、及びＬＩＵ２３それぞれを順次アクセスする常時ポーリングを行う。このような常時ポーリングがなされているときに、監視端末装置１１は、操作スイッチ１２の操作により監視入力が発生すると、時分割多重信号のスタートパルスに同期して、割込信号を発生させる。この割込信号を受信したＣＰＵ１０は、割込信号を発生した監視端末装置１１を探索するための割込ポーリングを行う。このとき、割込信号を送信した監視端末装置１１は、割込ポーリングによってＣＰＵ１０に特定されると、操作スイッチ１２への操作に対応した監視データをＣＰＵ１０に返送する。
【００２６】
そして、ＣＰＵ１０は、割込信号を発生した監視端末装置１１からの監視データを獲得すると、制御テーブルに設定されたアドレスの対応関係によって監視端末装置１１に予め対応付けられている制御端末装置１３に対する制御データを生成する。その後、ＣＰＵ１０は、信号線Ｌｓを介して、この制御データと制御端末装置１３を指定するアドレスデータとを含む時分割多重信号を、制御端末装置１３に送信する。この時分割多重信号を受信した制御端末装置１３は、制御データに基づいて負荷機器１４の動作を制御する。又、制御端末装置１３は、負荷機器１４の動作状態を示す監視データをＣＰＵ１０に返送する。
【００２７】
ＣＰＵ１０は、この負荷機器１４の動作状態を示す監視データを制御端末装置１３より獲得すると、負荷機器１４に対応した操作スイッチ１２を備えた監視端末装置１１に対して、負荷機器１４の動作状態を示す制御データを含む時分割多重信号を送信する。これにより、監視端末装置１１は、その負荷機器１４に対応した操作スイッチ１２に設けた発光ダイオードを点灯／消灯させるなどして、負荷機器１４の動作状態を報知することができる。又、負荷機器１４の動作状態を示す監視データを獲得したＣＰＵ１０は、負荷機器１４の動作状態を示す制御データを含む時分割多重信号をＬＩＵ２３にも送信する。そして、ＬＩＵ２３がＮＣＵ２２と通信を行うことで、ＮＣＵ２２に、下位ネットワークＮ１〜Ｎｎそれぞれにおける各負荷機器１４の動作状態が通知される。
【００２８】
移報端末装置１５は、装置内に設けられたセンサで検出した結果により移報動作を行うとき、ＣＰＵ１０による常時ポーリングがなされているときに、送信される時分割多重信号のスタートパルスに同期して、割込信号を発生させる。そして、ＣＰＵ１０は、割込信号を受信するため、割込ポーリングを行い、割込信号を送信した移報端末装置１５を特定する。このとき、割込信号を送信した移報端末装置１５は、割込ポーリングによってＣＰＵ１０に特定されると、センサでの検出結果を示す監視データをＣＰＵ１０に返送する。そして、ＣＰＵ１０が、移報端末装置１５での検出結果を示す制御データを含む時分割多重信号をＬＩＵ２３に送信し、ＬＩＵ２３がＮＣＵ２２と通信を行うことで、ＮＣＵ２２に、下位ネットワークＮ１〜Ｎｎそれぞれにおける移報端末装置１５の検出結果が通知される。
【００２９】
ＬＩＵ２３は、下位ネットワークＮ１〜Ｎｎにおいて、監視端末装置１１と同様の動作を行う。即ち、ＣＰＵ１０による常時ポーリングがなされているときに、専用線Ｌｔを通じて、ＮＣＵ２２より負荷機器１４を制御するための信号を受信すると、時分割多重信号のスタートパルスに同期して、割込信号を発生させる。そして、ＬＩＵ２３は、ＣＰＵ１０による割込ポーリングに応答して、ＣＰＵ１０に割込した端末装置であることを特定させた後、ＮＣＵ２２より受信した信号の内容を示す監視データをＣＰＵ１０に返送する。
【００３０】
これにより、ＣＰＵ１０が、ＮＣＵ２２によって制御対象とされる負荷機器１４を制御するための制御データを含む時分割多重信号を、制御端末装置１３に送信するため、制御対象となる負荷機器１４の動作が制御端末装置１３を介して制御される。そして、負荷機器１４の動作を制御した制御端末装置１３が、負荷機器１４の動作状態を示す監視データをＣＰＵ１０に返送する。そのため、ＣＰＵ１０は、この監視データの内容に基づく制御データを含む時分割多重信号を生成し、監視データによって確認される負荷機器１４に対応する操作スイッチ１２を備えた監視端末装置１１と、ＬＩＵ２３とのそれぞれに対して、送信する。
【００３１】
３．上位ネットワーク
上述のように下位ネットワークＮ１〜Ｎｎのそれぞれにおいて、時分割多重伝送方式によって通信を行っている各ＬＩＵ２３は、例えば、ＲＳ４８５仕様による専用線Ｌｔによって、ＮＣＵ２２と接続される。下位ネットワークＮ１〜ＮｎそれぞれにおけるＬＩＵ２３それぞれは、専用線Ｌｔを通じて、負荷機器１４を制御するための制御データをＮＣＵ２２から受信するとともに、負荷機器１４の動作状態を示す監視データをＮＣＵ２２に送信する。このように専用線Ｌｔによって接続されることでローカルバスネットワークを構築するＮＣＵ２２及びＬＣＵ２３は、商用電源ＡＣをトランスＴで降圧（例えば、２４Ｖ）した電源が供給される。
【００３２】
又、ウェブサーバ２１とＮＣＵ２２との間を接続する通信線Ｌｕは、例えば、ＲＳ２３２Ｃ仕様の通信線とされる。このウェブサーバ２１及び端末装置２４のそれぞれは、イーサネット（登録商標）などのネットワーク伝送路で構成されるローカルエリアネットワークＬＮに接続される。更に、ウェブサーバ２１は、例えば、ＲＳ４８５仕様による専用線Ｌｔにより計量端末装置１６と接続され、計量端末装置１６と共にローカルバスネットワークを構成するとともに、計量端末装置１６の親機として機能する。このように構成されるローカルバスネットワークとローカルエリアネットワークＬＮとによって、上位ネットワークが構成され、ウェブサーバ２１及び端末装置２４それぞれにより、下位ネットワークＮ１〜Ｎｎの制御及び管理が為される。
【００３３】
このように構成される上位ネットワークにおいて、遠隔制御監視システムを構成するローカルバスネットワークでは、ＬＩＵ２３がＮＣＵ２２の端末装置として機能し、電力監視システムを構成するローカルバスネットワークでは、計量端末装置１６がウェブサーバ２１の端末装置として機能する。又、上位ネットワークの一部であるローカルエリアネットワークＬＮにおいて、端末装置２４がウェブサーバ２１の端末装置となるホストシステムが、構成される。そして、ローカルエリアネットワークＬＮにおけるホストシステムは、ローカルバスネットワークを介して、下位ネットワークＮ１〜Ｎｎにおける制御端末装置１３への制御指令を与えるとともに、下位ネットワークＮ１〜Ｎｎにおける負荷機器１４及び移報端末装置１５の動作状態に関する情報、及び計量端末装置１６で計量される電力量に関する情報を受信して管理できる。
【００３４】
４．ウェブサーバ
上述の上位ネットワークに設置されるウェブサーバ２１について、図２を参照して以下に説明する。図２は、図１の遠隔制御監視システムにおけるウェブサーバの内部構成を示すブロック図である。
【００３５】
図２に示す要に、ウェブサーバ２１は、通信線Ｌｕと接続してＮＣＵ２２と通信を行う遠隔制御監視用通信インターフェース２１１と、専用線Ｌｔと接続して計量端末装置１６と通信を行う計量用通信インターフェース２１２と、ローカルエリアネットワークＬＮと接続して端末装置２４と通信を行うＬＡＮ用通信インターフェース２１３と、各種情報を記憶するメモリ部２１４と、端末装置２４からのメモリ部２１４に記憶された情報へのアクセスに対して認証を行う認証部２１５と、ウェブサーバ２１全体の動作制御を行う制御部２１６と、を備える。
【００３６】
このような構成のウェブサーバ２１は、遠隔制御監視用通信インターフェース２１１でＮＣＵ２２と通信を行うことで、下位ネットワークＮ１〜Ｎｎそれぞれへの制御指令を送信するとともに、負荷機器１４及び移報端末装置１５による各設備機器の動作状態に関する情報を受信する。そして、遠隔制御監視用通信インターフェース２１１が、ＮＣＵ２２より、下位ネットワークＮ１〜Ｎｎそれぞれにおける各設備機器の動作状態に関する情報を受信すると、制御部２１６が、設備機器それぞれの動作状態に関する情報を信号処理して、遠隔制御監視情報を生成し、メモリ部２１４に記憶させる。この遠隔制御監視情報は、例えば、照明装置の動作状態（装置のＯＮ／ＯＦＦ、調光状態など）を示す第１状態情報、空調装置の動作状態（装置のＯＮ／ＯＦＦ、冷暖房機能動作、設定温度など）を示す第２状態情報、移報端末装置の検出結果（警戒状態、異常検出状態など）を示す第３状態情報とするなどのように、設備機器の種類毎に区分して管理した情報である。
【００３７】
又、ウェブサーバ２１は、計量用通信インターフェース２１２で計量端末装置１６と通信を行うことで、計量端末装置１６で計量された各設備機器による使用電力量やネットワークＮ１〜Ｎｎそれぞれでの使用電力量を示す情報を受信する。この計量端末装置１６から受信する使用電力量を示す情報を、計量用通信インターフェース２１２が受信すると、制御部２１６が、この情報を電力計量情報としてメモリ部２１４に記憶させる。メモリ部２１４には、上記した遠隔制御監視情報及び電力計量情報以外に、設備機器及び計量端末装置１６それぞれに対して設定された機能を示す設定機能情報と、メモリ部２１４に記憶される各情報へのアクセス権限を示すアクセス権限設定情報とが記憶される。
【００３８】
このように、メモリ部２１４に記憶される各情報について、簡単に説明する。遠隔制御監視情報は、上述したように、設備機器の種類毎に区分して管理した情報であり、設備機器が照明装置、空調装置、及び移報端末装置１５の３種類である場合、上述の第１〜第３状態情報によって構成される。そして、第１〜第３状態情報それぞれは、その設置場所や機種などのように設備機器それぞれに対して特定される情報に対して、それぞれの設備機器の動作状態をリンクさせた情報となる。
【００３９】
これにより、遠隔制御監視情報に基づいて、例えば、ウェブサーバ２１又は端末装置２４のディスプレイ上において、遠隔制御監視システムを備えた建物の各部屋における設備機器の動作状態を、設備機器毎に表示させることができる。即ち、第１状態情報が指定されたときは、各部屋における照明装置の動作状態が表示され、第２状態情報が指定されたときは、各部屋における空調装置の動作状態が表示され、第３状態情報が指定されたときは、各部屋における移報端末装置１５の動作状態が表示される。このとき、ウェブサーバ２１又は端末装置２４のディスプレイ上では、後述する図４の表示例のように、建物の各部屋に対して設置されている設備機器の種類を表示し、特定の部屋における特定種類の設備機器の動作状態を表示させるために選択できるものとしてもよい。
【００４０】
電力計量情報は、上述したように、計量端末装置１６で計量した使用電力量を示す情報であり、主幹ブレーカに対して計量された使用電力量、分岐ブレーカ毎に計量された使用電力量、及び設備機器毎に計量された使用電力量などを区分して管理した情報である。これにより、電力計量情報に基づいて、例えば、ウェブサーバ２１又は端末装置２４のディスプレイ上において、主幹ブレーカ及び分岐ブレーカそれぞれに対して計量された使用電力量や設備機器毎の使用電力量をグラフ表示させることができる。このとき、ウェブサーバ２１又は端末装置２４のディスプレイ上では、後述する図４の表示例のように、遠隔制御監視システムを備えた建物の各部屋の設備機器の種類を示す表示画面について、各部屋の使用電力量の表示を選択できるような画面としてもよい。
【００４１】
設定機能情報は、遠隔制御監視システムにおける設備機器及び計量端末装置１６に対して、その装置の種類毎に設定される機能、及び装置毎に設定される機能を区分して管理している。即ち、負荷機器１４である照明装置及び空調装置と、移報端末装置１５とを、設備機器として備える場合、設定機能情報は、照明装置に対して設定された機能を示す第１機能情報と、空調装置に対して設定された機能を示す第２機能情報と、移報端末装置１５に対して設定された機能を示す第３機能情報と、計量端末装置１６に対して設定された機能を示す第４機能情報とによって構成される。これにより、遠隔制御監視情報に基づいて、例えば、ウェブサーバ２１又は端末装置２４のディスプレイ上において、遠隔制御監視システムにおける負荷機器１４、移報端末装置１５、及び計量端末装置１６それぞれについて、設定された機能を、その装置の種類毎に表示させることができる。
【００４２】
即ち、第１機能情報が指定されたときは、照明装置に対して設定された機能が表示され、第２機能情報が指定されたときは、空調装置の動作状態に対して設定された機能が表示され、第３機能情報が指定されたときは、移報端末装置１５に対して設定された機能が表示され、第４機能情報が指定されたときは、計量端末装置１６に対して設定された機能が表示される。このとき、ウェブサーバ２１又は端末装置２４のディスプレイ上では、後述する図５の表示例のように、装置の種類毎のタブが表示され、そのタブを指定することで、機能を表示させるための装置の種類が選択できるものとしてもよい。
【００４３】
アクセス権限情報は、メモリ２１４に記憶されている、上述の遠隔制御監視情報、電力計量情報、及び設定機能情報と、アクセス権限情報自身それぞれに対して、アクセス可能な権利者を設定した情報である。即ち、遠隔制御監視情報及び電力計量情報については、遠隔制御監視システムの利用者全てがアクセス可能に設定され、設定機能情報及びアクセス権限情報については、遠隔制御監視システムのシステム管理者及びシステム設計者にのみアクセス権限を与えるように設定される。
【００４４】
これにより、遠隔制御監視情報及び電力計量情報については、システム管理者及びシステム設計者に限らず、遠隔制御監視システムの全ての利用者がアクセス可能であるため、ウェブサーバ２１及び端末装置２４を利用して、遠隔制御監視システムによる各設備機器の制御及び監視を行える。一方、設定機能情報及びアクセス権限情報については、システム管理者及びシステム設計者以外の利用者によるアクセスが禁止されるため、権限を有する者によるシステムの管理及び設計がなされることとなる。
【００４５】
５．ウェブサーバへのアクセス
上述のような構成となるウェブサーバ２１を親機とするホストシステムが構成されるローカルエリアネットワークＬＮにおいて、ウェブサーバ２１又は端末装置２４が操作されることにより、遠隔制御監視システムのシステム管理がなされる。このとき、ウェブサーバ２１に記憶される、遠隔制御監視システムのシステム管理のための各情報へのアクセス制限について、図３〜図６に示す、ウェブサーバ２１又は端末装置２４のディスプレイ上の表示画面を参照して、以下に説明する。
【００４６】
尚、ウェブサーバ２１を利用する場合は、キーボードやマウスなどの不図示の入力装置が操作されて、図３〜図６に示す表示画面がウェブサーバ２１のディスプレイ上に表示される。このとき、ウェブサーバ２１は、入力装置で受け付けた操作に基づく指示を制御部２１６で解析し、受けた指示に応じた動作を行う。又、端末装置２４を利用する場合は、端末装置２４上でウェブブラウザが起動され、このウェブブラウザを利用して、ウェブサーバ２１へのアクセスを行うことで、図３〜図６に示す表示画面が端末装置２４のディスプレイ上に表示される。この端末装置２４を利用したとき、ウェブサーバ２１は、ＬＡＮ用通信インターフェース２１３で端末装置２４からの信号を受信し、受信した端末装置２４からの信号を制御部２１６で解析し、端末装置２４で受けた指示に応じた動作を行う。
【００４７】
まず、ウェブサーバ２１への直接の操作、又は、端末装置２４からのウェブブラウザを利用したウェブサーバ２１へのアクセスがなされると、アクセス要求者を認証するために、図３に示す認証画面が、ウェブサーバ２１又は端末装置２４のディスプレイ上に表示される。この図３に示す認証画面には、アクセス要求者の個別番号（ＩＤ）及びパスワードを入力するための入力欄３０１，３０２が表示される。そして、この入力欄３０１，３０２に入力されたＩＤ及びパスワードは、ウェブサーバ２１において、制御部２１６を介して認証部２１５に与えられる。
【００４８】
認証部２１５では、入力されたＩＤ及びパスワードと、既に記憶しているＩＤ及びパスワードとを対比することによって、アクセス要求者を特定する。即ち、認証部２１５は、アクセス要求者が、システム管理者、システム設計者、及び一般のシステム利用者のいずれに該当するのか認証する。このとき、システム管理者、システム設計者、及び一般のシステム利用者のいずれにも該当しない場合は、認証がなされず、アクセス要求者のアクセスを全て禁止する。又、システム管理者及びシステム設計者以外となる、一般のシステム利用者であることが認証されると、メモリ部２１４内に記憶している、遠隔制御監視情報及び電力計量情報のみへのアクセス権限が、制御部２１６により与えられる。
【００４９】
更に、システム管理者又はシステム設計者であることが認証されると、メモリ部２１４に記憶している、遠隔制御監視情報、電力計量情報、及び設定機能情報それぞれへのアクセス権限が、制御部２１６により与えられる。このとき、システム管理者であることが認証された場合には、設定機能情報の一部のみにアクセス権限が与えられ、システム設計者であることが認証された場合には、アクセス権限情報も加えた全ての情報にアクセス権限が与えられるものとしてもよい。又、システム管理者又はシステム設計者であることが認証されることにより、アクセス権限情報も加えた全ての情報にアクセス権限が与えられるものとしてもよい。
【００５０】
このように、制御部２１６が、認証部２１５による認証結果に基づいて、メモリ部２１４へのアクセス制限を決定することで、ウェブサーバ２１及び端末装置２４それぞれのディスプレイ上に表示可能な画面が、アクセス許可された情報によって決定される。即ち、一般のシステム利用者のように、遠隔制御監視情報及び電力計量情報のみへのアクセスが許可される場合は、図４に示すメイン画面だけしか表示できない。図４に示すメイン画面には、遠隔制御監視システムを採用した建物の各部屋を地図状に表示し、それぞれの部屋に設置されている設備機器（負荷機器１４及び移報端末装置１５）及び計量端末装置１６のそれぞれを、ボタンＢで表示している。
【００５１】
図４に示すメイン画面が表示された場合において、ポインタＰでボタンＢを指定することによって、部屋毎の各設備機器の動作状態を示す表示画面、又は、部屋毎の使用電力量を示す表示画面に切り替わる。この図４に示すメイン画面から、例えば、照明装置又は空調装置のような、特定の種類の負荷機器１４の動作状態を示す表示画面に切り替わったとき、その表示画面を利用した入力操作を行うことで、各負荷機器１４の動作状態を遠隔制御することができる。このとき、遠隔制御するための指令信号が、ウェブサーバ２１の制御部２１６に与えられるため、遠隔制御監視用通信インターフェース２１１による通信が行われ、指定された負荷機器１４の動作状態が制御される。
【００５２】
一方、システム管理者又はシステム設計者のように、設定機能情報についてもアクセスが許可される場合は、図４に示すメイン画面だけでなく、図５に示す設定画面も表示可能となる。このとき、設定機能情報の全てについてアクセスが許可される場合は、図６に示すシステム設定画面も表示可能となる。尚、図６のシステム設定画面は、システム全体の構成を設定するための画面であり、遠隔制御監視システム内の設備機器（端末装置１４及び移報端末装置１５）や計量端末装置１６の使用・不使用などを設定するための画面である。よって、システム設計者のみがシステム全体の構成設定ができるものとする場合は、設定機能情報の一部である、このシステム全体の構成設定を行うための情報について、システム管理者によるアクセスが禁止される。このとき、認証部２１５がシステム設計者によるアクセスがなされたことを認証したときにのみ、図６のシステム設定画面が表示できることとなる。
【００５３】
図５に示す設定画面は、設備機器及び計量端末装置１６それぞれに種類毎に機能設定できるように、その種類をタグＴによって識別した表示画面となっている。即ち、図５の表示画面においては、「照明」、「空調」、「移報」、及び「計量」と表記されたタグＴが指定されることで、機能を設定する対象として、照明装置、空調装置、移報端末装置１５、及び計量端末装置１６それぞれが選択され、その機能を設定する対象に対応した画面が表示される。尚、図５の表示画面の例では、「照明」と表記されたタグＴが指定され、照明装置に関する機能を設定するための画面が表示されている。又、「システム」と表記されタグＴが指定されると、図６のようなシステム設定画面が表示される。
【００５４】
図６に示すシステム設定画面は、遠隔制御監視システムにより制御及び管理する装置を指定するための画面であり、負荷機器１４、移報端末装置１５、及び計量端末装置１６について、それぞれの種類毎にチェックボックスＣＢが表示されている。そして、このチェックボックスＣＢにチェックがある場合は、その種類の設備機器又は計量端末装置１６について、遠隔制御監視システムによる制御又は監視がなされる（使用される）ことを示す。即ち、図６に示すシステム設定画面において、例えば、照明装置に対応したチェックボックスＣＢにチェックがある場合、照明装置が、遠隔制御監視システム内に設置されて、その遠隔制御及び管理のために遠隔制御監視システムで使用されることを示す。
【００５５】
又、図６に示すシステム設定画面において、チェックボックスＣＢにチェックが為されていない装置（設備機器又は計量端末装置１６）については、図５の設定画面において、その装置の機能設定用の画面を指定するためのタグＴが非表示となる。即ち、図６に示すシステム設定画面において、例えば、空調装置に対応したチェックボックスＣＢにチェックがない場合、図５に示す設定画面において、「空調」と表記されたタグが表示されない。よって、このとき、空調装置の機能を設定するための画面を指定できない表示となる。
【００５６】
この図６に示すシステム設定画面において、負荷機器１４の各種類（図６の場合、照明装置及び空調装置）に対するチェックボックスＣＢ、及び、移報端末装置１５に対するチェックボックスＣＢ全てについて、チェックがなされていないときは、下位ネットワークＮ１〜Ｎｎにおける遠隔監視制御の機能が利用されない。よって、遠隔制御監視用通信ネットワーク２１１による通信が不要となるため、制御部２１６によって、遠隔制御監視用通信インターフェース２１１への電力供給が停止される。一方、図６に示すシステム設定画面において、計量端末装置１６に対するチェックボックスＣＢについて、チェックがなされていないときは、計量端末装置１６による電力監視システムの機能が利用されない。よって、計量用通信ネットワーク２１２による通信が不要となるため、制御部２１６によって、計量用通信インターフェース２１２への電力供給が停止される。
【００５７】
このように、図１に示す遠隔制御監視システムにおいて、ウェブサーバ２１が、通信線Ｌｕと専用線Ｌｔの一方とだけ接続される場合は、ウェブサーバ２１は、遠隔制御監視用通信インターフェース２１１及び計量用通信インターフェース２１２のうち、接続された通信インターフェースのみを動作させる。又、システム管理者が図６に示すシステム設定画面への操作を可能とした場合は、ウェブサーバ２１への通信線Ｌｕ及び専用線Ｌｔの接続状態が変更されたとき、システム管理者がシステム設定画面への操作を行うことで、遠隔制御監視用通信インターフェース２１１及び計量用通信インターフェース２１２それぞれの使用の可否をウェブサーバ２１に対して指定することができる。
【符号の説明】
【００５８】
１０              中央制御装置（ＣＰＵ）
１１              監視端末装置
１２              操作スイッチ
１３              制御端末装置
１４              負荷機器
１５              移報端末装置
１６              計量端末装置
２１              ウェブサーバ
２２              ネットワーク制御装置（ＮＣＵ）
２３              ローカル制御装置（ＬＩＵ）
２４              端末装置
２１１            遠隔制御監視用通信インターフェース
２１２            計量用通信インターフェース
２１３            ＬＡＮ用通信インターフェース
２１４            メモリ部
２１５            認証部
２１６            制御部
【図１】
2010199916.tif 000003
【図２】
2010199916.tif 000004
【図３】
2010199916.tif 000005
【図４】
2010199916.tif 000006
【図５】
2010199916.tif 000007
【図６】
2010199916.tif 000008